(57)【特許請求の範囲】
【請求項１】
脚部材を取り付け可能な複数個の取付座部を有するモータケーシングであって、
前記複数個の取付座部には、第１組の取付座部と、前記第１組の取付座部に対して周方向に離れて設けられる第２組の取付座部とが含まれ、
前記第１組の取付座部及び前記第２組の取付座部のそれぞれには、軸方向に離れた負荷側取付座部と反負荷側取付座部とが含まれ、
前記負荷側取付座部には、該負荷側取付座部より負荷側に延びる複数本の負荷側末端フィンが接続され、
前記反負荷側取付座部には、該反負荷側取付座部より反負荷側に延びる複数本の反負荷側末端フィンが接続され、
前記負荷側取付座部と前記反負荷側取付座部の間には前記軸方向に延びる一本のみの中間フィンが設けられることを特徴とするモータケーシング。
【請求項２】
前記第１組の取付座部を鉛直上向きにした状態を基準として、
前記第１組の取付座部に接続される前記複数の末端フィンは、所定の水平面に対するそれぞれの根元部の高さ位置が異なっており、
前記第１組の取付座部間に設けられる前記中間フィンは、前記複数の末端フィンのうち、前記根元部の高さ位置が最も高い末端フィンと直線状に並ぶように設けられることを特徴とする請求項１に記載のモータケーシング。
【請求項３】
前記中間フィンは、前記負荷側取付座部又は前記反負荷側取付座部に接続される接続端部を有し、
前記第１組の取付座部を鉛直方向に対して横向きにした状態を基準として、
前記第１組の取付座部間に設けられる前記中間フィンのうち、最も鉛直上側に設けられる中間フィンの接続端部の上方に臨む外側面には、鉛直上方に向かうにつれて該取付座部に近づくような傾斜面が形成されることを特徴とする請求項１または２に記載のモータケーシング。
【請求項４】
前記第１組の取付座部を鉛直方向に対して横向きにした状態を基準として、
前記第１組の取付座部間に設けられる前記中間フィンのうち、最も鉛直上側に設けられる中間フィンの上方に臨む外側面には、該中間フィンの根元部から先端部に向かうにつれて、所定の水平面に対して下り傾斜となるような勾配が設けられることを特徴とする請求項１から３のいずれかに記載のモータケーシング。
【請求項５】
前記第１組の取付座部を鉛直上向きにした状態を基準として、
前記第１組の取付座部に接続される前記複数の末端フィンは、所定の水平面に対するそれぞれの根元部の高さ位置が異なっており、前記根元部の高さ位置が低いものほど先端部の高さ位置が低くなるように設けられることを特徴とする請求項１から４のいずれかに記載のモータケーシング。
【発明の詳細な説明】
【技術分野】
【０００１】
本発明は、モータケーシングに関し、特に、脚部材を取り付け可能な複数の取付座部を有するモータケーシングに関する。
【背景技術】
【０００２】
モータケーシングのケーシング本体には、ボルトを固定するための座部を設けることがある。この座部は、特許文献１のように、吊りボルトを固定するために用いられることもあれば、ボルトにより脚部材を取り付けるために用いられることもある。
【先行技術文献】
【特許文献】
【０００３】
【特許文献１】実開昭６３−１３１５６６号公報
【発明の概要】
【発明が解決しようとする課題】
【０００４】
ところで、モータの諸性能を確保するうえでは、モータケーシング内のモータ内部機構から生じる熱を効率よく放熱することが要求される。このような要求を満たすうえで、ケーシング本体の外周面には、通常、放熱を促進するための複数本のフィンが設けられる。
【０００５】
ここで、前述のように、ケーシング本体に座部を設ける場合、可能な限り多くの本数のフィンを設けるため、フィンを座部に連ねるように接続することがある。しかしながら、詳細は後述するが、本発明者は、複数本のフィンが座部に接続されると、フィンと座部により囲まれる空間部に水だまりが生じ易くなるという知見を得た。モータは、屋外のような環境の他に、屋内でも水を取り扱う工場等の環境で用いる場合があり、このような環境で用いるうえでは、水だまりの発生を抑えることが求められる。
【０００６】
本発明は、こうした状況に鑑みてなされたものであり、その目的は、多くの本数のフィンを確保しつつ、水だまりの発生を抑え易くできるモータケーシングを提供することにある。
【課題を解決するための手段】
【０００７】
本発明のある態様はモータケーシングに関し、脚部材を取り付け可能な複数個の取付座部を有するモータケーシングであって、前記複数個の取付座部には、第１組の取付座部と、前記第１組の取付座部に対して周方向に離れて設けられる第２組の取付座部とが含まれ、前記第１組の取付座部及び前記第２組の取付座部のそれぞれには、軸方向に離れた負荷側取付座部と反負荷側取付座部とが含まれ、前記負荷側取付座部には、該負荷側取付座部より負荷側に延びる複数本の負荷側末端フィンが接続され、前記反負荷側取付座部には、該反負荷側取付座部より反負荷側に延びる複数本の反負荷側末端フィンが接続され、前記負荷側取付座部と前記反負荷側取付座部の間には前記軸方向に延びる一本のみの中間フィンが設けられる。
【発明の効果】
【０００８】
本発明によれば、多くの本数のフィンを確保しつつ、水だまりの発生を抑え易くできるモータケーシングを提供できる。
【図面の簡単な説明】
【０００９】
【図１】実施形態に係るモータの部分断面側面図である。
【図２】図１の方向Ｖｄ１から見た図である。
【図３】図２の方向Ｖｄ２から見たケーシング本体の斜視図である。
【図４】図２の方向Ｖｄ３から見たケーシング本体の斜視図である。
【図５】実施形態に係るケーシング本体の正面図である。
【図６】図１のＡ−Ａ線断面でのケーシング本体を示す図である。
【図７】図７（ａ）は第１参考例に係るケーシング本体を示す平面図であり、図７（ｂ）は実施形態に係るケーシング本体を示す平面図である。
【図８】図８（ａ）は実施形態に係るケーシング本体を示す平面図であり、図８（ｂ）は第２参考例に係るケーシング本体を示す平面図である。
【図９】実施形態に係るモータケーシングに関して、上側の組の取付座部を右向きにした状態で用いる場合を示す側面図である。
【図１０】実施形態に係るモータケーシングに関して、上側の組の取付座部を右向きにした状態で用いる場合を示す図であり、図１０（ａ）は中間フィンを示す断面図であり、図１０（ｂ）は負荷側末端フィンを示す正面図である。
【発明を実施するための形態】
【００１０】
以下、実施形態，変形例では、同一の構成要素に同一の符号を付し、重複する説明を省略する。また、各図面では、説明の便宜のため、構成要素の一部を適宜省略する。
【００１１】
図１は本実施形態に係るモータ１０を示す部分断面側面図であり、図２は図１の方向Ｖｄ１から見た図である。
モータ１０はかご形誘導電動機である。モータ１０は、外殻となるモータケーシング１２と、モータケーシング１２を外部部材１４に据え付けるための脚部材１６とを備える。モータケーシング１２には、回転子及び固定子（不図示）と、回転軸１８の一部とが収容される。外部部材１４は、モータケーシング１２の据え付け相手となる床面等の外部構造体である。
【００１２】
モータケーシング１２は、図１に示すように、筒状のケーシング本体２０と、ケーシング本体２０の軸方向両側の開口部を塞ぐ一対のブラケット２２とを備える。モータケーシング１２は、アルミ、鋳鉄等の金属製である。
【００１３】
以下、モータケーシング１２の位置関係を説明するとき、ケーシング本体２０の軸方向を方向Ｘ、軸方向Ｘと直交する水平方向をケーシング本体２０の左右方向Ｙ、これらと直交する方向をケーシング本体２０の高さ方向Ｚとして説明する。また、軸方向Ｘに関して、回転軸１８の負荷側端部１８ａ（後述する）がある側を負荷側Ｘａとし、負荷側Ｘａとは反対側を反負荷側Ｘｂとして説明する。なお、左右方向Ｙは、外部部材１４の据付面１４ａ（後述する）と平行であり、高さ方向Ｚは据付面１４ａと直交する。本実施形態においては、据付面１４ａが水平面とされ、高さ方向Ｚが鉛直方向となる。
【００１４】
一対のブラケット２２には軸受（不図示）が組み付けられ、回転軸１８は軸受により回転自在に支持される。回転軸１８の一端部１８ａはブラケット２２から外側に突出する。回転軸１８の一端部１８ａには動力出力対象となる相手機械２４が接続される。回転軸１８の一端部１８ａは、相手機械２４から負荷が付与される負荷側端部１８ａとなる。相手機械２４は、駆動対象となる被駆動装置でもよいし、被駆動装置に動力を伝達するための減速機等の動力伝達装置でもよい。
【００１５】
回転軸１８の負荷側端部１８ａとは反対側の反負荷側端部１８ｂはブラケット２２から外側に突出する。反負荷側端部１８ｂには冷却ファン２６が装着される。モータケーシング１２には冷却ファン２６を覆うファンカバー２８が取り付けられる。ファンカバー２８は有底筒状に形成され、負荷側Ｘａに向けて開放する導出口２８ａが形成される。冷却ファン２６は回転軸１８と一体に回転し、その回転により空気流を発生させる。この空気流はファンカバー２８の導出口２８ａを通して負荷側Ｘａに向けて流れる。
【００１６】
脚部材１６は、アルミ、鋳鉄等の金属製である。脚部材１６は、図１、図２に示すように、外部部材１４に固定するための複数の外部固定部１６ａと、ケーシング本体２０に固定される複数の被固定部１６ｂとを有する。複数の外部固定部１６ａは左右方向Ｙに離れて設けられるとともに、軸方向Ｘにも離れて設けられる。各外部固定部１６ａには第１ボルトＢ１が挿通される。各外部固定部１６ａは据え付け相手となる外部部材１４の据付面１４ａに当接された状態で、第１ボルトＢ１により外部部材１４に締結されることで据え付けられる。
【００１７】
複数の被固定部１６ｂは、後述する一組の取付座部３６を構成する複数個の取付座部３６Ａ、３６Ｂのそれぞれに対応する位置に設けられる。各被固定部１６ｂには第２ボルトＢ２が挿通される。各被固定部１６ｂは複数個の取付座部３６Ａ、３６Ｂとの間で対向する面同士を当接させた状態で、第２ボルトＢ２によりケーシング本体２０に締結されることで固定される。
【００１８】
図３は図２の方向Ｖｄ２から見たケーシング本体２０の斜視図であり、図４は図２の方向Ｖｄ３から見たケーシング本体２０の斜視図である。
ケーシング本体２０は、図２〜図４に示すように、回転軸１８周りに設けられる四つの側面部３０−１〜３０−４を有する。複数の側面部３０−１〜３０−４は回転軸１８を上下左右の四方から取り囲むように設けられる。複数の側面部３０−１〜３０−４には、上側面部３０−１（第１側面部）と、上側面部３０−１とは回転軸１８を挟んだ逆側（下側）に設けられる下側面部３０−２（第２側面部）と、上側面部３０−１に対して右側に設けられる右側面部３０−３（第３側面部）と、上側面部３０−１に対して左側に設けられる左側面部３０−４（第４側面部）とが含まれる。左側面部３０−４には端子箱３２（図２参照）を取り付けるための端子箱用座部３４が設けられる。端子箱３２には、固定子等のモータ内部機構に電力を供給するためのケーブルが接続される。以下、複数の側面部３０−１〜３０−４を区別しないときは、符号の末尾の「−１〜−４」の記載を省略する。
【００１９】
ケーシング本体２０は、脚部材１６を取り付け可能な複数個の取付座部３６Ａ、３６Ｂを有する。複数個の取付座部３６Ａ、３６Ｂは、複数個（４個）の取付座部３６Ａ、３６Ｂを一単位の組とし、各組が周方向に離れて設けられる複数組（３組）の取付座部３６Ａ、３６Ｂを含む。複数組の取付座部３６Ａ、３６Ｂは、複数の側面部３０−１〜３０−３の何れかに対応して設けられる。複数組の取付座部３６Ａ、３６Ｂには、上側面部３０−１に対応する上側の組の取付座部３６Ａ−１、３６Ｂ−１（第１組の取付座部）と、下側面部３０−２に対応する下側の組の取付座部３６Ａ−２、３６Ｂ−２（第２組の取付座部）と、右側面部３０−３に対応する右側の組の取付座部３６Ａ−３、３６Ｂ−３（第３組の取付座部）とが含まれる。以下、複数個の取付座部３６が属する組を区別しないときは、符号の末尾の「−１〜−３」の記載を省略する。また、一組の取付座部３６の中には後述する負荷側取付座部３６Ａ、反負荷側取付座部３６Ｂが含まれるが、これらを区別しないときは、単に「取付座部３６」という。
【００２０】
複数組の取付座部３６の各組は、ケーシング本体２０を外部部材１４に据え付けるうえで、外部部材１４に対するケーシング本体２０の端子箱用座部３４の位置を変更し、ケーシング本体２０から端子箱３２が突出する向きを変更するためにある。言い換えると、複数組の取付座部３６の各組は、外部部材１４に対してケーシング本体２０を異なる向きで据え付け可能とするためにある。
【００２１】
たとえば、図２に示すように、ケーシング本体２０の左側に端子箱用座部３４を配置し、ケーシング本体２０から端子箱３２が突出する向きを左向きにする場合、下側面部３０−２を下向きにした状態で、下側の組の取付座部３６Ａ−２、３６Ｂ−２を用いて外部部材１４に据え付ける。また、図示しないが、ケーシング本体２０の上側に端子箱用座部３４を配置し、ケーシング本体２０から端子箱３２が突出する向きを上向きにする場合、右側面部３０−３を下向きにした状態で、右側の組の取付座部３６Ａ−３、３６Ｂ−３を用いて外部部材１４に据え付ける。ケーシング本体２０を外部部材１４に据え付けるうえで、端子箱３２の突出する向きを特定の向きにした場合に、相手機械２４等の周辺構造と端子箱３２が干渉するケースがある。このケースでも、外部部材１４に対するケーシング本体２０の向きを変更し、端子箱３２の突出する向きを他の向きにすることで、周辺構造と端子箱３２の干渉を防ぎ、ケーシング本体２０を外部部材１４に据え付け可能となる。
【００２２】
なお、本実施形態では、合計３組の取付座部３６があるため、何れかの組の取付座部３６を下向きにした状態で、その組の取付座部３６を用いて外部部材１４に据え付けることで、ケーシング本体２０の上側、左側、右側の何れかに端子箱用座部３４を配置できる。以下では、特定の組の取付座部３６に取り付けられる脚部材１６を介して外部部材１４に据え付ける場合、単に、「特定の組の取付座部３６を用いて据え付ける場合」とのみ記載する。
【００２３】
一組の取付座部３６を構成する各取付座部３６Ａ、３６Ｂは、その組に対応する側面部３０から同方向に突出するような円形の柱状に形成される。各取付座部３６Ａ、３６Ｂは、第２ボルトＢ２用の雌ねじ穴３８を加工可能である。上側の組の取付座部３６−１を構成する各取付座部３６Ａ−１、３６Ｂ−１のうち、負荷側取付座部３６Ａ−１（後述する）には予め雌ねじ穴３８が加工される。右側の組の取付座部３６Ａ−３、３６Ｂ−３も同様である。下側の組の取付座部３６−２を構成する各取付座部３６Ａ−２、３６Ｂ−２は、すべての取付座部３６Ａ−２、３６Ｂ−２に予め雌ねじ穴３８が加工される。
【００２４】
一組の取付座部３６には、図３に示すように、ケーシング本体２０の軸方向Ｘに離れて設けられる二つの第１取付座部３６Ａ、３６Ｂと、二つの第１取付座部３６Ａ、３６Ｂから周方向に離れて設けられる二つの第２取付座部３６Ａ、３６Ｂとが含まれる。一組の取付座部３６は、これら４つを一組として設けられる。
【００２５】
図５はケーシング本体２０の正面図である。本図では、上側の組の取付座部３６−１を鉛直上向きにした状態で、下側の組の取付座部３６−２を用いて据え付ける場合を基準としている。このとき、上側の組の取付座部３６−１を構成する第１取付座部３６Ａ−１、３６Ｂ−１は、ケーシング本体２０を軸方向Ｘから見て、その軸心２０ｃに対して左右方向Ｙの一方（図示は右側）にずれた位置に設けられ、第２取付座部３６Ａ−１、３６Ｂ−１は、その軸心２０ｃに対して左右方向Ｙの他方（図示は左側）にずれた位置に設けられる。他の組の取付座部３６−２、３６−３に関しても、これらを上向きにした状態で据え付ける場合、同様のことがいえる。なお、本明細書において「組の取付座部３６−１の向き」とは、ケーシング本体２０から組の取付座部３６−１が突出する向きをいう。
【００２６】
図３、図４に戻り、第１取付座部３６Ａ、３６Ｂ及び第２取付座部３６Ａ、３６Ｂのそれぞれには、軸方向に離れた負荷側取付座部３６Ａと反負荷側取付座部３６Ｂとが含まれる。負荷側取付座部３６Ａ及び反負荷側取付座部３６Ｂは、ケーシング本体２０の軸方向Ｘに並ぶように設けられる。
【００２７】
ケーシング本体２０の外周面には複数本のフィン４０Ａ〜４０Ｄが接続される。複数本のフィン４０Ａ〜４０Ｄはケーシング本体２０の軸方向Ｘに沿って直線状に伸びるように設けられる板状部材である。複数本のフィン４０Ａ〜４０Ｄは、複数本のフィン４０Ａ〜４０Ｄを一単位の組として、各組が周方向に離れて設けられる複数組のフィン４０Ａ〜４０Ｄを含む。複数組のフィン４０Ａ〜４０Ｄは、複数の側面部３０−１〜３０−３の何れかに対応するとともに、複数組の取付座部３６−１〜３６−３の何れかの組に対応して設けられる。
【００２８】
複数組のフィン４０Ａ〜４０Ｄには、上側面部３０−１及び上側の組の取付座部３６−１に対応する上側の組のフィン４０Ａ−１〜４０Ｄ−１（第１組のフィン）と、下側面部３０−２及び下側の組の取付座部３６−２に対応する下側の組のフィン４０Ａ−２〜４０Ｄ−２（第２組のフィン）と、右側面部３０−３及び右側の組の取付座部３６−３に対応する右側の組のフィン４０Ａ−３〜４０Ｄ−３（第３組のフィン）とが含まれる。以下、複数本のフィン４０Ａ〜４０Ｄが属する組を区別しないときは、符号の末尾の「−１〜−４」の記載を省略する。また、一組のフィン４０Ａ〜４０Ｄには、後述する末端フィン４０Ａ、４０Ｂ、中間フィン４０Ｃ等が含まれるが、これらを区別しないときは、単に「フィン４０」という。
【００２９】
なお、ケーシング本体２０の外周面には、左側面部３０−４に対応して複数本のフィン４０Ｅが設けられる。
【００３０】
一組のフィン４０Ａ〜４０Ｄには、これらに対応する組の取付座部３６Ａ、３６Ｂの何れかに接続される複数本の外側フィン４０Ａ〜４０Ｃが含まれる。また、一組のフィン４０Ａ〜４０Ｄには、第１取付座部３６Ａ、３６Ｂに接続される外側フィン４０Ａ〜４０Ｃと、第１取付座部３６Ａ、３６Ｂに対して周方向に隣り合う第２取付座部３６Ａ、Ｂに接続される外側フィン４０Ａ〜４０Ｃとの間に設けられる複数本の内側フィン４０Ｄが含まれる。外側フィン４０Ａ〜４０Ｃと内側フィン４０Ｄの間や、複数の内側フィン４０Ｄの間には軸方向Ｘに沿って直線状に風路４２が形成される。風路４２は冷却ファン２６により生じる空気流を反負荷側Ｘｂから負荷側Ｘａに導くためにある。
【００３１】
負荷側取付座部３６Ａには、負荷側取付座部３６Ａより負荷側Ｘａに延びる二本の負荷側末端フィン４０Ａが接続される。反負荷側取付座部３６Ｂには、反負荷側取付座部３６Ｂより反負荷側Ｘｂに延びる二本の反負荷側末端フィン４０Ｂが接続される。複数本の負荷側末端フィン４０Ａ間には負荷側隙間空間４４Ａが形成される。負荷側隙間空間４４Ａは負荷側Ｘａに開放するように形成される。複数本の反負荷側末端フィン４０Ｂ間には反負荷側隙間空間４４Ｂが形成される。反負荷側隙間空間４４Ｂは反負荷側Ｘｂに開放するように形成される。
【００３２】
軸方向Ｘに隣り合う負荷側取付座部３６Ａと反負荷側取付座部３６Ｂとの間には軸方向Ｘに延びる一本のみの中間フィン４０Ｃが設けられる。中間フィン４０Ｃは、負荷側取付座部３６Ａ及び反負荷側取付座部３６Ｂのそれぞれに接続される。負荷側取付座部３６Ａ及び反負荷側取付座部３６Ｂの間には他の中間フィン４０Ｃは設けられない。
【００３３】
図６は図１のＡ−Ａ線断面でのケーシング本体２０を示す図である。
ケーシング本体２０の外側には、図３、図４、図６に示すように、軸方向Ｘに隣り合う負荷側取付座部３６Ａ及び反負荷側取付座部３６Ｂと、中間フィン４０Ｃとにより囲まれる開放空間部４６が形成される。開放空間部４６は、ケーシング本体２０の径方向外側に開放する。また、開放空間部４６は、ケーシング本体２０の周方向の一方に開放する。より詳細には、上側の組の取付座部３６Ａ−１、３６Ｂ−１を鉛直上向きにした状態で、下側の組の取付座部３６Ａ−２、３６Ｂ−２を用いて据え付ける場合を基準とする。上側の組の取付座部３６を構成する取付座部３６Ａ、３６Ｂと中間フィン４０Ｃにより囲まれる開放空間部４６は、図３、図６に示すように、ケーシング本体２０を軸方向Ｘから見たとき、ケーシング本体２０の軸心２０ｃから左右方向Ｙに離れる側に開放する。たとえば、軸心２０ｃに対して左右方向Ｙの一方（図示は右側）にある開放空間部４６は、軸心２０ｃから離れる側である右側に開放する。また、軸心２０ｃに対して左右方向Ｙの他方（図示は左側）にある開放空間部４６は、軸心２０ｃから離れる側である左側に開放する。
【００３４】
以上のモータケーシング１２による作用効果を説明する。
上側の組の取付座部３６Ａ−１、３６Ｂ−１を鉛直上向きにした状態で、下側の組の取付座部３６Ａ−２、３６Ｂ−２を用いて据え付ける場合を基準にする。図７（ａ）は第１参考例に係るケーシング本体２０を示す平面図である。本例のケーシング本体２０は、負荷側取付座部３６Ａ及び反負荷側取付座部３６Ｂの間に２本の中間フィン４０Ｃが設けられる。このとき、負荷側取付座部３６Ａ及び反負荷側取付座部３６Ｂと２本の中間フィン４０Ｃとにより囲まれる開放空間部４６は、ケーシング本体２０の周方向に開放しておらず、その開放空間部４６内の領域Ｓ１には水だまりが生じ易くなる。
【００３５】
図７（ｂ）は本実施形態に係るケーシング本体２０を示す平面図である。本実施形態によれば、負荷側取付座部３６Ａ及び反負荷側取付座部３６Ｂの間には一本のみの中間フィン４０Ｃしか設けられないため、開放空間部４６に関して、ケーシング本体２０の周方向の一方向Ｐａに開放する形状にできる。よって、開放空間部４６内に水が付着しても、周方向に開放する方向Ｐａに向けて水が流れ易くなり、開放空間部４６内に水だまりが生じ難くなる利点がある。よって、負荷側取付座部３６Ａ、３６Ｂに末端フィン４０Ａ、４０Ｂや中間フィン４０Ｃを接続して、多くの本数のフィン４０Ａ〜４０Ｃを確保しつつ、水だまりの発生を抑え易くできる。ちなみに、本明細書での「水」は、Ｈ２Ｏで表される一般的な水に限るものではなく、水を含む液体全般が含まれる。
【００３６】
なお、末端フィン４０Ａ、４０Ｂ間に形成される隙間空間４４Ａ、４４Ｂは負荷側Ｘａ又は反負荷側Ｘｂに開放するため、その隙間空間４４Ａ、４４Ｂに入る水は負荷側Ｘａ又は反負荷側Ｘｂの何れかに向かう方向Ｐｄに流れ易くなる。また、外側フィン４０Ａ〜４０Ｃと内側フィン４０Ｄの間や、複数の内側フィン４０Ｄの間に形成される風路４２は負荷側Ｘａ及び反負荷側Ｘｂの両側に開放するため、その風路４２に入る水も負荷側Ｘａ及び反負荷側Ｘｂの両側に向かう方向Ｐｅに流れ易くなる。これらが相まって、隙間空間４４Ａ、４４Ｂ内や風路４２内には水だまりが生じ難くなる。以上の作用効果は、他の組の取付座部３６−２、３６−３に関しても、これらを鉛直上向きにした状態で据え付ける場合、同様のことがいえる。
【００３７】
本実施形態のモータケーシング１２は、このような水だまりの発生を抑える観点から、以下の更なる工夫がある。
図５に示すように、上側の組の取付座部３６−１を鉛直上向きにした状態で、下側の組の取付座部３６−２を用いて据え付ける場合を基準とする。上側の組のフィン４０−１を構成する複数の負荷側末端フィン４０Ａ−１は、それぞれの根元部４１の高さ位置が異なっている。ここでいう高さ位置とは、所定の水平面に対する高さ方向Ｚでの位置のことをいう。本実施形態では、外部部材１４の据付面１４ａ（図２参照）からの高さ方向Ｚでの位置となる。ただし、所定の水平面は据付面１４ａに限定されず、各フィンの根元部４１よりも鉛直方向下側で任意に設定すればよい。
【００３８】
ケーシング本体２０を軸方向Ｘから見て、上側の組のフィン４０−１を構成する複数の負荷側末端フィン４０Ａ−１は、左右方向Ｙに沿ってずれた位置に配置される。また、ケーシング本体２０の外周面のうち上側に臨む面領域は、ケーシング本体２０の軸心２０ｃから左右方向Ｙに離れるにつれて、高さ位置が低くなるように設けられる。また、複数の負荷側末端フィン４０Ａ−１の根元部４１は、ケーシング本体２０から左右方向Ｙに離れるにつれて、その高さ位置が低くなるように設けられる。ケーシング本体２０を軸方向Ｘから見て、上側の組の取付座部３６−１を構成する各取付座部３６Ａ−１、３６Ｂ−１の左右方向Ｙでの中央位置をＣｐとする。複数の負荷側末端フィン４０Ａ−１のうち、根元部４１の高さ位置が最も高い負荷側末端フィン４０Ａ−１は、負荷側取付座部３６Ａ−１の中央位置Ｃｐよりもケーシング本体２０の軸心２０ｃに左右方向位置が近い側に配置される。たとえば、図５の範囲Ｓｂでは、根元部４１の高さ位置が最も高い負荷側末端フィン４０Ａ−１（図中左側の末端フィン４０Ａ−１）は、中央位置Ｃｐよりもケーシング本体２０の軸心２０ｃに左右方向位置が近い側である左側に配置される。複数の反負荷側末端フィン４０Ｂ−１も同様である。
【００３９】
図８（ａ）は図５の範囲Ｓｂを上側から見た図である。
上側の組の負荷側取付座部３６Ａ−１と、反負荷側取付座部３６Ｂ−１との間に設けられる中間フィン４０Ｃ−１は、前述の複数の末端フィン４０Ａ−１、４０Ｂ−１のうち、根元部４１の高さ位置が最も高い末端フィン４０Ａ−１、４０Ｂ−１（本図では左側の末端フィン４０Ａ−１、４０Ｂ−１）と直線状に並ぶように設けられる。中間フィン４０Ｃは、取付座部３６Ａ−１、３６Ｂ−１の中央位置Ｃｐよりもケーシング本体２０の軸心２０ｃに左右方向位置が近い側（本図では左側）に配置される。
【００４０】
この利点を説明する。
図５に示すように、上側の組の取付座部３６Ａ−１、３６Ｂ−１を鉛直上向きにする場合、ケーシング本体２０の外周面のうち上側に臨む面領域に付着する水は、高さ位置の高い側から低い側に向けて流下しようとする。本実施形態でいえば、図５の範囲Ｓｂでは、ケーシング本体２０の軸心２０ｃから離れる右側に向かう方向Ｐｂに向けて流下しようとする。ここで、図８（ｂ）に示すように、複数の末端フィン４０Ａ−１、４０Ｂ−１のうち、根元部４１の高さ位置が低い他の末端フィン４０Ａ−１、４０Ｂ−１（図中右側の末端フィン４０Ａ−１、４０Ｂ−１）と直線状に並ぶように中間フィン４０Ｃを設ける場合、中間フィン４０Ｃ−１より高位置側の領域Ｓ５にて、負荷側取付座部３６Ａ−１と反負荷側取付座部３６Ｂ−１の間に流下する水が貯まり易くなる。
【００４１】
図８（ａ）に示すように、複数の末端フィン４０Ａ−１、４０Ｂ−１のうち、根元部４１の高さ位置が最も高い末端フィン４０Ａ−１、４０Ｂ−１（図中左側の末端フィン４０Ａ−１、４０Ｂ−１）と直線状に並ぶように中間フィン４０Ｃ−１を設ける場合を考える。この場合、図８（ｂ）の例よりも、中間フィン４０Ｃ−１より高位置側の領域Ｓ５にて、負荷側取付座部３６Ａ−１と反負荷側取付座部３６Ｂ−１の間に流下する水が多く貯まり難くなる。また、このとき、開放空間部４６は、ケーシング本体２０の外周面において高位置側から低位置側に向かう方向Ｐａ、つまり、ケーシング本体２０の外周面に付着する水が流れる方向Ｐａに開放する。この方向Ｐａは、ケーシング本体２０の軸心２０ｃから左右方向Ｙに離れる側の方向でもある。従って、開放空間部４６内に水が付着した場合でも、その水は開放空間部４６内に貯まらずに低位置側に向けて流下し易くなる。これらが相まって、中間フィン４０Ｃの周りにて水だまりを生じ難くできる。
【００４２】
なお、図６に示すように、上側の組のフィン４０−１を構成する中間フィン４０Ｃ−１に対して、軸心２０ｃから左右方向Ｙに離れる側に隣り合う右側の組のフィン４０−３を構成する中間フィン４０Ｃ−３や、左側の組のフィン４０Ｅ（図６参照）は略水平に設けられる。これにより、前述の開放空間部４６から低位置側に向けて水が流下したとき、その水が中間フィン４０Ｃ−３やフィン４０Ｅの根元部４１側に貯まり難くなり、各フィン４０Ｃ−３、４０Ｅの先端部４３側から流下させるように水を導きやすくなる。
【００４３】
図９は、上側の組の取付座部３６−１を右向き、つまり、鉛直方向に対して横向きにした状態で、右側の組の取付座部３６−３を用いて据え付ける場合のケーシング本体２０を示す。
この場合を基準として、上側の組の取付座部３６−１を構成する第１取付座部３６Ａ−１、３６Ｂ−１及び第２取付座部３６Ａ−１、３６Ｂ−１間に設けられる中間フィン４０Ｃ−１のうち、最も鉛直上側にある中間フィン４０Ｃ−１に着目する。この中間フィン４０Ｃ−１は、負荷側取付座部３６Ａ−１及び反負荷側取付座部３６Ｂ−１のそれぞれに接続される接続端部４０Ｃａを有する。この中間フィン４０Ｃ−１の接続端部４０Ｃａの上方に臨む外側面には、鉛直上方に向かうにつれて接続相手となる負荷側取付座部３６Ａ又は反負荷側取付座部３６Ｂに近づくような傾斜面４０Ｃｂが形成される。この傾斜面４０Ｃｂは、本実施形態では、鉛直上方に向かうにつれて接続相手となる取付座部３６Ａ、３６Ｂに近づくように凹状の円弧状に形成されるが、直線状等に形成されてもよい。
【００４４】
この利点を説明する。
ケーシング本体２０の外周面を上側から下側にかけて水が流下する場合を考える。中間フィン４０Ｃ−１の接続端部４０Ｃａまで水が流下したとき、中間フィン４０Ｃ−１に傾斜面４０Ｃｂが形成されていないと、中間フィン４０Ｃの接続端部４０Ｃａと取付座部３６Ａ−１、３６Ｂ−１の間の奥まった箇所に水が貯まったまま流れ難くなる。この点、本実施形態では、中間フィン４０Ｃ−１の接続端部４０Ｃａまで流下した水が傾斜面４０Ｃｂにより、中間フィン４０Ｃ−１の接続端部４０Ｃａから中間部４０Ｃｃに向かう方向Ｐｃに導かれ易くなる。この結果、中間フィン４０Ｃ−１の中間部４０Ｃｃまで流下して中間フィン４０Ｃ−１から下側に流れ落ちる水と合流し易くなり、中間フィン４０Ｃ−１上に水が貯まり易くなるのを防止できる。
【００４５】
なお、本実施形態のモータケーシング１２は、以下の点でも特徴がある。
図５に示すように、上側の組の取付座部３６Ａ−１、３６Ｂ−１を鉛直上向きにした状態で、下側の組の取付座部３６Ａ−２、３６Ｂ−２を用いて据え付ける場合を基準とする。このとき、上側の組の取付座部３６Ａ−１、３６Ｂ−１に接続される複数の末端フィン４０Ａ−１、４０Ｂ−１は、それぞれの根元部４１の高さ位置が異なっており、根元部４１の高さ位置が低いものほど先端部４３の高さ位置が低くなるように設けられる。
【００４６】
また、本実施形態のモータケーシング１２は、以下の点にも更なる特徴がある。
図１０（ａ）は、図９の例と同様、上側の組の取付座部３６−１を右向き、つまり、鉛直方向に対して横向きにした状態で、右側の組の取付座部３６−３を用いて外部部材１４の据付面１４ａ（水平面）に据え付ける場合の中間フィン４０Ｃ−１を示す断面図である。本図では、上側の組の取付座部３６−１を構成する複数の取付座部３６間に設けられる中間フィン４０Ｃ−１のうち、最も鉛直上側にある中間フィン４０Ｃ−１を示す。この状態を基準にして、この中間フィン４０Ｃ−１の上方に臨む外側面４８には、根元部４１から先端部４３に向かうにつれて、所定の水平面に対して下り傾斜となるような勾配が設けられる。本実施形態での所定の水平面とは据付面１４ａ（図２参照）であるが、ここでは、説明のため、水平面と平行な仮想面Ｈｐを図示する。前述の内容を換言すると、中間フィン４０Ｃ−１よりも鉛直下側に所定の水平面を設定したときに、その外側面４８は、根元部４１から先端部４３に向かうにつれて、水平面との間の距離が小さくなるように勾配がつけられている。
【００４７】
この利点は以下の通りである。上側の組の取付座部３６−１を鉛直方向に対して横向きにした状態でケーシング本体２０を外部部材１４の据付面１４ａに据え付ける場合を考える。この場合に、中間フィン４０Ｃ−１の外側面４８に水が付いたとき、その勾配により低位置側である先端部４３に向かう方向Ｐｆに水を流下させ易くなり、その先端部４３から下方に排水し易くなる。この結果、中間フィン４０Ｃ−１上に水が貯まるのを防止できる。なお、本図に示す中間フィン４０Ｃ−１以外の他のフィン４０Ｃ−１にも同様の勾配が設けられる。
【００４８】
図１０（ｂ）は、図１０（ａ）と同様の状態にあるときの負荷側末端フィン４０Ａ−１を示す正面図である。本図では、上側の組の負荷側取付座部３６Ａ−１に接続される負荷側末端フィン４０Ａ−１を示す。この状態を基準にして、この負荷側末端フィン４０Ａ−１の上方に臨む外側面４８にも、根元部４１から先端部４３に向かうにつれて、所定の水平面に対して下り傾斜となるような勾配が設けられる。これにより、前述と同様の理由により、負荷側末端フィン４０Ａ−１上に水が貯まるのを防止できる。なお、図示はしないが、上側の組の負荷側取付座部３６Ａ−１に接続される反負荷側末端フィン４０Ｂ−１の上方に臨む外側面にも同様の勾配が設けられる。
【００４９】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５０】
複数組の取付座部３６は三組設けられる例を説明したが、少なくとも二組以上設けられていればよく、四組以上設けられてもよい。一組の取付座部３６に含まれる取付座部３６の数は四つである例を説明したが、負荷側取付座部３６Ａと反負荷側取付座部３６Ｂとの少なくとも二つがあればよい。複数本の末端フィン４０Ａ、４０Ｂは、一つの取付座部３６に対して二本接続される例を説明したが、三本以上接続されてもよい。
【００５１】
また、前述の中間フィン４０Ｃ−１の傾斜面４０Ｃｂは、一組の取付座部３６を構成する負荷側取付座部３６Ａと反負荷側取付座部３６Ｂの間に設けられる中間フィン４０Ｃ−１のうち、最も上側に設けられる中間フィン４０Ｃ−１の上方に臨む外側面に形成される例を説明した。ここでいう「最も上側に設けられる中間フィン４０Ｃ−１」は、一組の取付座部３６に対応する中間フィン４０Ｃ−１が複数本ある場合、その複数本の中で最も上側に設けられる中間フィン４０Ｃ−１のことを意味し、一本しかない場合、その一本の中間フィン４０Ｃ−１のことを意味する。
【符号の説明】
【００５２】
１０…モータ、１２…モータケーシング、１４…外部部材、１６…脚部材、３６Ａ−１、３６Ｂ−１…上側の組の取付座部（第１組の取付座部）、３６Ａ−２、３６Ｂ−２…下側の組の取付座部、３６Ａ…負荷側取付座部、３６Ｂ…反負荷側取付座部、４０Ａ…負荷側末端フィン、４０Ｂ…反負荷側末端フィン、４０Ｃ…中間フィン、４０Ｃａ…接続端部、４０Ｃｂ…傾斜面、４１…根元部。
【図１】
0006377006.tif 000002
【図２】
0006377006.tif 000003
【図３】
0006377006.tif 000004
【図４】
0006377006.tif 000005
【図５】
0006377006.tif 000006
【図６】
0006377006.tif 000007
【図７】
0006377006.tif 000008
【図８】
0006377006.tif 000009
【図９】
0006377006.tif 000010
【図１０】
0006377006.tif 000011